(57)【特許請求の範囲】
【請求項１】
互いに対向する第１及び第２カバーを含む筐体と、
前記筐体内に配置された入力装置及び表示パネルと、
前記筐体と前記表示パネルとの間に配置された弾性部材と、
前記入力装置を保持し、前記筐体に固定され、前記弾性部材が変形するように前記表示パネルを前記弾性部材へ向けて押す保持部材と、を備え、
前記第１カバー、前記第２カバー、及び前記保持部材は、共通の部品により固定される、電子装置。
【請求項２】
筐体と、
前記筐体内に配置された入力装置及び表示パネルと、
前記筐体と前記表示パネルとの間に配置された弾性部材と、
前記入力装置を保持し、前記筐体に固定され、前記弾性部材が変形するように前記表示パネルを前記弾性部材へ向けて押す保持部材と、を備え、
前記保持部材は、前記入力装置及び表示パネルの平面方向の位置を規定する位置決め部、前記入力装置と前記表示パネルとの間隔を規定するスペーサ部、を含む、電子装置。
【請求項３】
前記第２カバーには、当該第２カバーの内面から突出して前記弾性部材を介して前記表示パネルの裏面を支持するリブが形成され、
前記保持部材は、基部と、前記基部の外側に突出した突出部と、前記入力装置と前記表示パネルとの間隔を規定するスペーサ部とを備え、
前記突出部において前記第１カバーと前記第２カバーとが共通の部品により固定され、
前記突出部は、前記スペーサ部よりも前記第２カバーの近くに位置する、請求項１の電子装置。
【請求項４】
前記筐体は、前記表示パネルの平面方向の位置を規定する位置決め部を含む、請求項１乃至３の何れかの電子装置。
【請求項５】
前記弾性部材は、発泡部材、ゴム、及びバネ、の少なくとも一つを含む、請求項１乃至４の何れかの電子装置。
【請求項６】
前記入力装置はタッチパネルである、請求項１乃至５の何れかの電子装置。
【発明の詳細な説明】
【技術分野】
【０００１】
本発明は、電子装置に関する。
【背景技術】
【０００２】
筐体、筐体内に配置されたタッチパネル及び表示パネル、を備えた電子装置が知られている。例えば、タッチパネル及び表示パネルを筐体に固定する方法として、表示パネルに固定部材を固定し、この固定部材を筐体に固定し、タッチパネルを保持した保持部材を表示パネルに組付けることが考えられる。
【先行技術文献】
【特許文献】
【０００３】
【特許文献１】特開平０３‐２９２５２３号公報
【特許文献２】特開平０９‐１１５３７８号公報
【発明の概要】
【発明が解決しようとする課題】
【０００４】
このようにタッチパネル及び表示パネルを筐体に固定するには、タッチパネルを保持する保持部材と、表示パネルに筐体に固定するための固定部材との双方が用いられる。このため、装置全体の重量が増していた。
【０００５】
本発明は、入力装置及び表示パネルを備えつつ軽量化された電子装置を提供することを目的とする。
【課題を解決するための手段】
【０００６】
本明細書に開示の電子装置は、筐体と、前記筐体内に配置された入力装置及び表示パネルと、前記筐体と前記表示パネルとの間に配置された弾性部材と、前記入力装置を保持し、前記筐体に固定され、前記弾性部材が変形するように前記表示パネルを前記弾性部材へ向けて押す保持部材と、を備えている。
【発明の効果】
【０００７】
入力装置及び表示パネルを備えつつ軽量化された電子装置を提供できる。
【図面の簡単な説明】
【０００８】
【図１】図１Ａ〜１Ｃは、本実施例のノート型コンピュータの説明図である。
【図２】図２は、筐体の分解斜視図である。
【図３】図３は、保持部材の外観図である。
【図４】図４は、筐体の分解斜視図である。
【図５】図５は、図４の拡大図である。
【図６】図６は、図４の拡大図である。
【図７】図７は、図４の拡大図である。
【図８】図８Ａ、８Ｂは、組立後の筐体の断面図である。
【図９】図９は、本実施例の筐体とは異なる構造を有した筐体の分解斜視図である。
【図１０】図１０は、固定部材が固定された表示パネルの外観図である。
【図１１】図１１Ａ、１１Ｂは、本実施例の筐体とは異なる構造を有した筐体の断面図である。
【発明を実施するための形態】
【０００９】
ノート型コンピュータを電子装置の一例として説明する。図１Ａ〜１Ｃは、本実施例のノート型コンピュータ１の説明図である。ノート型コンピュータ１は、筐体１０、２０を有している。筐体１０、２０は、２軸ヒンジＨにより連結されている。筐体１０は、上面１１、上面１１と対向する底面、を有している。上面１１には、ノート型コンピュータ１を操作するためのキーボードＫ、タッチパッドＰＤが設けられている。筐体１０内には、ノート型コンピュータ１の動作全体を制御するためのマザーボードが収納されている。筐体２０は、正面２１、正面２１と対向する背面２２、を有している。正面２１には、表示ユニットＵが設けられている。表示ユニットＵは、画像を表示可能な表示パネルと、接触することにより操作可能なタッチパネルとを含んでいる。なお、タッチパネルは、抵抗膜方式、表面弾性波方式、赤外線方式、など各種方式のものを採用しうる。また、タッチペンが不要でユーザの指先と導電膜との間での静電容量の変化を利用する静電容量方式のタッチパネルを採用してもよい。また、タッチパネルの代わりに、電子ペンを利用する電磁誘導方式のペンタブレットも採用しうる。これらタッチパネル、ペンタブレットは入力装置の一例である。２軸ヒンジＨは、筐体１０、２０を異なる２つの軸心Ａ１、Ａ２周りに回転可能に連結している。軸心Ａ１、Ａ２は直交している。軸心Ａ１は、上面１１が広がる方向と平行に延びる。軸心Ａ２は、上面１１と交差する方向に延びる。つまり、軸心Ａ１と軸心Ａ２とは交差する。
【００１０】
図１Ａは、筐体１０の上面１１に筐体２０の正面２１が重なった第１重畳状態を示している。図１Ｂは、筐体１０、２０が開いた開状態を示している。図１Ｃは、筐体１０の上面１１に筐体２０の背面２２が重なった第２重畳状態を示している。ユーザは、第１重畳状態から筐体２０を軸心Ａ１周りに回転させることにより、ノート型コンピュータ１を開状態にすることができる。ユーザは、図１Ｂの開状態から筐体２０を軸心Ａ２周りに回転させることより、図１Ｂの状態から筐体２０の正面２１と背面２２とを反転させることができる。ユーザは、筐体２０の正面２１と背面２２を反転させた状態で、筐体２０が筐体１０に重なるように軸心Ａ１周りに回転させる。これにより、ノート型コンピュータ１は、筐体１０の上面１１と筐体２０の背面２２が対向した第２重畳状態となる。
【００１１】
図２は、筐体２０の分解斜視図である。筐体２０は、カバー３０、４０、保持部材５０、表示ユニットＵを含む。保持部材５０、表示ユニットＵは、カバー３０、４０内に配置されている。カバー３０、４０は、それぞれ筐体２０の正面２１、背面２２を画定する。表示ユニットＵは、重ねて配置されたタッチパネルＴＰ、表示パネルＤＰを含む。タッチパネルＴＰは、カバー３０側に配置され、表示パネルＤＰはカバー４０側に配置されている。カバー３０、４０は、互いに対向する第１及び第２カバーの一例である。カバー３０は、タッチパネルＴＰを露出して表示パネルＤＰの視認性を確保するために、枠状に形成されている。スポンジＥ１は、カバー３０とタッチパネルＴＰとの間に配置される。スポンジＥ１は、それぞれ直線状に延びている。スポンジＥ１は、両面テープや接着剤によりカバー３０の内側に貼付される。スポンジＥ１は、タッチパネルＴＰの各辺に沿うように配置される。
【００１２】
保持部材５０は、枠状でありタッチパネルＴＰを保持する。保持部材５０は、合成樹脂製である。スポンジＥ２は、表示パネルＤＰとカバー４０との間に配置される。スポンジＥ２は、形状や大きさが異なっているが、同じであってもよい。スポンジＥ２は、両面テープや接着剤によりカバー４０の内側に貼付される。スポンジＥ２は、表示パネルＤＰと筐体１０との間に配置される弾性部材の一例である。また、スポンジＥ２は、発泡部材の一例である。
【００１３】
図３は、保持部材５０の外観図である。保持部材５０は、合成樹脂製である。保持部材５０は、枠状の基部５２、基部５２から外側に突出した突出部５４、突出部５４に形成された貫通孔５５、を含む。
【００１４】
図４は、筐体２０の分解斜視図である。図４に示すように、カバー３０には、複数の凹部３２、３４が形成されている。凹部３２、３４には、詳しくは後述するがネジＳが貫通する貫通孔が形成されている。ネジＳは、貫通孔に貫通してカバー４０のネジ孔に螺合する。凹部３２、３４には、ネジＳを覆うためのゴムＧが嵌合する。ゴムＧは、凹部３２、３４にあわせて形状が異なっている。
【００１５】
図５〜７は、図４の拡大図である。図４に示すように、カバー４０には、カバー４０の内面からカバー３０側に突出した突片４６、４７が形成されている。突片４６、４７は、表示パネルＤＰの側面に当接して、表示パネルＤＰの平面方向の位置を規定する位置決め部の一例である。突片４６は、表示パネルＤＰの対向する２つの短辺の一方に当接し、突片４７は、表示パネルＤＰの対向する２つの長辺の一方に当接する。尚、突片４６、４７には、スポンジが固定されており、スポンジを介して表示パネルＤＰに当接する。突片４６、４７は、図５〜７に示した箇所以外にも設けられている。また、カバー４０にはカバー３０側に突出した支持部４２、４４が形成されている。支持部４２、４４には、それぞれネジ孔４３、４５が形成されている。
【００１６】
凹部３２、３４には、それぞれ貫通孔３３、３５が形成されている。複数のネジＳの一部は、凹部３２に形成された貫通孔３３を貫通して、カバー４０の支持部４２に形成されたネジ孔４３に螺合する。これにより、カバー３０、４０が固定される。また、複数のネジＳの一部は、カバー３０の貫通孔３５及び保持部材５０の貫通孔５５を貫通し、カバー４０の支持部４４に形成されたネジ孔４５に螺合する。これにより、カバー３０、４０、保持部材５０が連結される。保持部材５０の基部５２には、カバー３０側に突出した突部５６、カバー４０側に突出した突部５７、保持部材５０の内側に突出した支持部５３、が設けられている。突部５６は、基部５２の縁に沿って形成されている。突部５７は、基部５２の縁に沿って部分的に形成されている。
【００１７】
筐体２０の組立順序について説明する。作業者は、表示パネルＤＰがカバー４０の突片４６、４７に位置決めされるようにして、カバー４０に貼付されたスポンジＥ２上に配置する。突片４６、４７により、表示パネルＤＰは、カバー４０の所望の位置に容易に配置される。次に、作業者は、タッチパネルＴＰを保持した保持部材５０を表示パネルＤＰに組み付ける。具体的には、作業者は、保持部材５０の突部５７を表示パネルＤＰに係合させる。次に、作業者は、スポンジＥ１が貼付されたカバー３０をカバー４０と重なるように配置し、カバー３０、４０、保持部材５０をネジＳにより固定する。次に、作業者は、ゴムＧを凹部３２、３４に挿入する。このようにして筐体２０が組み立てられる。
【００１８】
図８Ａ、８Ｂは、組立後の筐体２０の断面図である。図８Ａは、保持部材５０の突出部５４を示した断面図である。図８Ｂは、スポンジＥ２を示した断面図である。図８Ａ、８Ｂに示すように、突部５６、５７は、それぞれ、タッチパネルＴＰ、表示パネルＤＰの縁に当接して、タッチパネルＴＰ、表示パネルＤＰと係合する。突部５６、５７は、タッチパネルＴＰ、表示パネルＤＰの平面方向の位置を規定する位置決め部の一例である。支持部５３は、タッチパネルＴＰと表示パネルＤＰとの間に位置する。支持部５３は、タッチパネルＴＰと表示パネルＤＰとの間隔を規定するスペーサ部の一例である。タッチパネルＴＰは、保持部材５０の支持部５３により支持され突部５６に係合することにより、保持部材５０に保持されている。
【００１９】
図８Ａに示すネジＳは、カバー３０、４０、保持部材５０を固定している。図８Ａに示すネジＳは、カバー３０、４０、保持部材５０を共通に固定する部品の一例である。保持部材５０の突出部５４は、カバー３０の凹部３４と、カバー４０の支持部４４とにより挟まれるようにして保持されている。これにより、筐体２０の平面方向及び厚み方向での保持部材５０の位置が規定されて保持部材５０が筐体２０に固定される。
【００２０】
図８Ａに示すように、タッチパネルＴＰは、カバー３０と保持部材５０との間で保持される。具体的には、突部５６の先端とタッチパネルＴＰとがスポンジＥ１に押し付けられる。これにより、カバー３０とタッチパネルＴＰとの間から埃等が進入することを防止されている。
【００２１】
図８Ｂに示すように、スポンジＥ２は、カバー４０の内側から若干突出したリブ４９により支持されている。スポンジＥ２は、表示パネルＤＰにより潰されるようにして変形している。保持部材５０が表示パネルＤＰをスポンジＥ１へ押し付けているからである。従って、表示パネルＤＰには、保持部材５０により押される力と、この力と反対方向に作用するスポンジＥ２による弾性復元力とが作用する。これにより、表示パネルＤＰがスポンジＥ２と保持部材５０との間でがたつくことが防止される。以上のように、保持部材５０は、タッチパネルＴＰを保持しつつ、表示パネルＤＰをカバー４０に押し付けることにより表示パネルＤＰをカバー４０に固定する。
【００２２】
図９は、本実施例の筐体２０とは異なる構造を有した筐体２０ｘの分解斜視図である。尚、筐体２０ｘについて、筐体２０と類似の箇所については類似の符号を付することによりその説明を省略する。筐体２０ｘは、表示パネルＤＰｘに固定される２つの固定部材６０ｘを有している。固定部材６０ｘは、表示パネルＤＰｘの縁に沿うように延びた板状である。固定部材６０ｘは、金属製である。保持部材５０ｘは、保持部材５０と異なり貫通孔５５が設けられていない。
【００２３】
筐体２０ｘの組立順序について説明する。作業者は、表示パネルＤＰｘに固定部材６０ｘを固定し、固定部材６０ｘをカバー４０ｘに固定する。次に、作業者は、タッチパネルＴＰｘを保持した保持部材５０ｘを固定部材６０ｘに組付け、ネジＳｘ２によりカバー３０ｘをカバー４０ｘに固定する。これにより、筐体２０ｘが組み立てられる。上述したように保持部材５０ｘには、保持部材５０と異なり貫通孔５５が設けられていないので、ネジＳｘ２は、カバー３０ｘとカバー４０ｘとを固定する。
【００２４】
図１０は、固定部材６０ｘが固定された表示パネルＤＰｘの外観図である。２つの固定部材６０ｘは、表示パネルＤＰｘの側にネジＳｘにより固定される。固定部材６０ｘには、表示パネルＤＰｘの外側に突出した突出部６４ｘが設けられている。突出部６４ｘには貫通孔６５ｘが形成されている。
【００２５】
図１１Ａ、１１Ｂは、本実施例の筐体２０とは異なる構造を有した筐体２０ｘの断面図である。図１１Ａに示すように、ネジＳｘ１が突出部６４ｘの貫通孔６５ｘを貫通してカバー４０ｘの支持部４４ｘに形成されたネジ孔４５ｘに螺合することにより、固定部材６０ｘはカバー４０ｘに固定されている。図１１Ｂに示すように、保持部材５０ｘはタッチパネルＴＰｘを保持しており、固定部材６０ｘが固定された表示パネルＤＰｘに係合している。このように、筐体２０ｘにおいては、タッチパネルＴＰｘを保持する保持部材５０ｘと、表示パネルＤＰｘをカバー４０ｘに固定するための固定部材６０ｘとが用いられる。
【００２６】
本実施例のノート型コンピュータ１の筐体２０においては、保持部材５０が、タッチパネルＴＰを保持すると共に表示パネルＤＰをカバー４０に固定している。従って、本実施例のノート型コンピュータ１の筐体２０では、固定部材６０ｘは不要である。このため、筐体２０は、筐体２０ｘと比較して軽量化されており、組立工数も減少している。
【００２７】
筐体２０ｘでは、作業者は、表示パネルＤＰｘに固定部材６０ｘをネジＳｘで固定した後に、更に固定部材６０ｘをネジＳｘ１によりカバー４０ｘに固定する必要がある。本実施例の筐体２０では、作業者は、表示パネルＤＰをカバー４０上に配置し、タッチパネルＴＰを保持した保持部材５０をカバー３０、４０と共にネジＳにより固定すれば、表示パネルＤＰは固定される。このため、筐体２０では、筐体２０ｘと比較して使用されるネジの数が削減されている。従って、筐体２０は、軽量化され、組立性が向上している。
【００２８】
筐体２０ｘでは、ネジＳｘ１により固定部材６０ｘはカバー４０ｘに固定され、ネジＳｘ２によりカバー３０ｘ、４０ｘが固定される。本実施例の筐体２０では、共通のネジＳによりカバー３０、４０、保持部材５０が固定される。このため、筐体２０は、筐体２０ｘと比較して使用されるネジの数が削減されている。従って、筐体２０は、軽量化され、組立性が向上している。尚、ネジＳの代わりに、カバー３０、４０、保持部材５０にそれぞれ形成された孔に圧入可能なピンにより、カバー３０、４０、保持部材５０を固定してもよい。
【００２９】
スポンジＥ２の代わりにゴムやバネを用いてもよい。バネは、コイル状のバネであってもよく、板状のバネであってもよい。尚、バネやゴムの代わりにスポンジＥ２を用いることによって、軽量化が達成されている。
【００３０】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３１】
上記実施例においては、電子装置の一例としてノート型コンピュータを例に説明したが、電子装置はそれ以外であってもよい。例えば、タブレット型コンピュータ、携帯電話、携帯テレビ、電子辞書、ＰＤＡ、ゲーム機、カメラ、音楽プレイヤー、ナビゲーション装置等である。また、電子装置は、このような携帯装置のみならず、据置型の電子装置であってもよい。例えば、電子装置は、デスクトップ型のコンピュータに用いられるモニタ、コンピュータが内蔵されたモニタ、テレビ、オーディオ、その他の家電製品であってもよい。
【符号の説明】
【００３２】
１  ノート型コンピュータ
１０、２０  筐体
３０、４０  カバー
４６、４７  突片
５０  保持部材
Ｅ２  スポンジ
Ｕ  表示ユニット
ＴＰ  タッチパネル
ＤＰ  表示パネル
【図１】
0005724535.tif 000002
【図２】
0005724535.tif 000003
【図３】
0005724535.tif 000004
【図４】
0005724535.tif 000005
【図５】
0005724535.tif 000006
【図６】
0005724535.tif 000007
【図７】
0005724535.tif 000008
【図８】
0005724535.tif 000009
【図９】
0005724535.tif 000010
【図１０】
0005724535.tif 000011
【図１１】
0005724535.tif 000012